(57)【要約】【課題】  圧延機へ圧延材を案内するために、圧延機の前後に配置されているガイド組替え装置を提供する。【解決手段】  圧延ラインと直交方向に移動自在の走行台車と、圧延機内ガイドの設置場所と該走行台車との間でガイドを受け渡しするガイド受け渡し手段を設けてなる圧延機のガイド組替え装置において、該走行台車に新・旧のガイドを載置可能とし、該ガイド受け渡し手段を走行台車用の走行レール部に設け、該ガイドを往復動させる駆動手段と、圧延機側位置に新・旧ガイドの載置・旋回手段を設け、該走行台車に隣接して同じ走行方向に移動する圧延材の支持・案内部材を設けたことを特徴とする圧延機のガイド組替え装置。【選択図】      図１
2005230891.tif 000002
【特許請求の範囲】
【請求項１】
圧延ラインと直交方向に移動自在の走行台車と、圧延機内ガイドの設置場所と該走行台車との間でガイドを受け渡しするガイド受け渡し手段を設けてなる圧延機のガイド組替え装置において、該走行台車に新・旧のガイドを載置可能とし、該ガイド受け渡し手段を走行台車用の走行レール部に設け、該ガイドを往復動させる駆動手段と、圧延機機側位置に新・旧ガイドの載置・旋回手段を設け、該走行台車に隣接して同じ走行方向に移動する圧延材の支持・案内部材を設けたことを特徴とする圧延機のガイド組替え装置。
【請求項２】
走行台車と圧延材の支持・案内部材とを同一の駆動手段にて走行させることを特徴とする請求項１記載の圧延機のガイド組替え装置。
【発明の詳細な説明】
【技術分野】
【０００１】
本発明は、圧延機へ圧延材を案内するために、圧延機の前後に配置されているガイド組替え装置に関するものである。
【背景技術】
【０００２】
一般に鋼片圧延機においては、圧延ラインの入側または出側に圧延材の進入と出を正しく案内するために、圧延機用ガイド（以下ガイドと称す）が設けられている。この入側のガイドは、圧延材の垂直方向、水平方向の案内をすると共に、倒れを防止しながら噛む込みを行わせ、また、出側のガイドは、ロールへの巻付きやテーブルローラーへの突込みを防ぎながら真直に噛み出しを行えるようにするために設けられている。
【０００３】
これらガイドは、圧延材のサイズ変更、型変更などにおいては、組替えをしなければならず、従来のボルトによる固定の場合は、クレーンなどによりガイドを吊りながら人力により取替えが行われているため、組替作業に多くの手間と時間を要することから、これを自動化し、その作業の省力化および安全性を図るために、例えば特開平５−１３８２２５号公報（特許文献１）が開示されている。
【０００４】
この特許文献１によれば、圧延ラインと直交方向に移動自在の走行台車と、圧延機内ガイドの設置場所と該走行台車との間を走行し、ガイドを受け渡しする横行台車と、ガイドを圧延機に固定するガイド固定装置とからなり、走行台車は新・旧のガイドを載置する長さを有しているガイドの組替え装置である。これにより新・旧のガイドの交換において、従来のクレーン等による吊り持ち状態での作業が皆無とし、作業の省力化および安全なガイドの組替えが可能となると言うものである。
【０００５】
【特許文献１】特開平５−１３８２２５号公報
【発明の開示】
【発明が解決しようとする課題】
【０００６】
しかしながら、上述した特許文献１に開示されている技術は、走行台車には、一連のガイドの組替え時、新・旧のガイドおよびガイドの固定装置が載置されている。そのために、その長さが大きく圧延機のハウジングの外側に大きく位置し、圧延工場内場所を大きく占有することになる。さらに、圧延機が複数のタンデム圧延機の場合には、その占有面積がさらに大きくなるという問題がある。
【０００７】
また、ガイド組替えの後、次材圧延前には、ガイドを通過した圧延材が円滑に通材するために圧延材の支持・案内部材、例えばローラーテーブル等が必要となり、そのため、別の場所を設置している圧延材の支持・案内部材をクレーンにて、搬送・配置することが必要となる。また、圧延終了後のガイドの組替え前には、走行台車と干渉するのを防止するために、圧延材の支持・案内部材をクレーンにて、搬送・撤去することが必要となる。このように、その分作業が複雑となると共に、逆に反省力化および非安全な作業を多く要し、かつ横行台車が複数台必要となる等の問題がある。
【課題を解決するための手段】
【０００８】
上述したような問題を解消するために、発明者らは鋭意開発を進めた結果、圧延機の組替えにおいて、工場内の場所を大きく占有することなく、かつ省力化および安全なる組替え作業を実施可能なガイドの組替え装置を提供するものである。その発明の要旨とするところは、
（１）圧延ラインと直交方向に移動自在の走行台車と、圧延機内ガイドの設置場所と該走行台車との間でガイドを受け渡しするガイド受け渡し手段を設けてなる圧延機のガイド組替え装置において、該走行台車に新・旧のガイドを載置可能とし、該ガイド受け渡し手段を走行台車用の走行レール部に設け、該ガイドを往復動させる駆動手段と、圧延機機側位置に新・旧ガイドの載置・旋回手段を設け、該走行台車に隣接して同じ走行方向に移動する圧延材の支持・案内部材を設けたことを特徴とする圧延機のガイド組替え装置。
（２）走行台車と圧延材の支持・案内部材とを同一の駆動手段にて走行させることを特徴とする前記（１）記載の圧延機のガイド組替え装置にある。
【発明の効果】
【０００９】
以上述べたように、本発明により以下のような効果を奏するものである。
（１）走行台車の長さを１個のガイドを載置可能長さにしているため、ガイド組替え時、工場を占有する場所が小さく、その分、工場内の敷地を有効活用することが可能となる。（２）また、走行台車に隣接して、同じ走行方向に移動する圧延材の支持・案内部材（ローラーテーブル）を設けているので、従来のように、ガイドの組替え時、クレーンによる支持・案内部材の搬送・設置が必要なく、省力化、安全作業となる。
【００１０】
（３）また、ガイド受け渡し手段を、走行台車用の走行レール部に設けて、ガイドを往復動させる駆動手段としているので、従来のように複数の横行台車が必要としない。
（４）さらに、走行台車と圧延材の支持・案内部材とを同一の駆動手段にて走行させるようにしているので、ガイド組替え装置がその分コンパクトになり、また、保守も容易になる等の効果がある。
【発明を実施するための最良の形態】
【００１１】
以下、本発明について図面に従って詳細に説明する。
図１は、ガイド組替え装置の全体概略図である。この図に示すように、圧延機のハウジング１内に圧延用ロール２が配設され、ガイド３が設置させる側に圧延ラインと直交方向に移動自在の走行台車４と、ガイド３の設置場所と該走行台車４との間でガイドを受け渡しするガイド受け渡し手段５を設けてなる圧延機のガイド組替え装置であって、走行台車４を圧延ラインと直交方向に移動自在するための走行台車用レール６を設けて圧延材の支持・案内部材７を介して走行台車用レール６上の走行台車４が圧延ラインと直交方向に移動自在に走行できるように配設する。また、圧延材の支持・案内部材７には駆動用モーター８が設けられている。
【００１２】
一方、走行台車上に新・旧のガイドを載置可能とし、しかも、ガイド受け渡し手段５を走行台車用の走行レール部に設け、圧延機ガイドを往復動させるためにガイド押込みシリンダー９および軸受１０に支持されたガイド押込みフック１１が設けられている。また、旧のガイドを載置した走行台車は走行台車用レール６上を移動して圧延機のハウジング１外に搬出され、新・旧ガイドの載置・旋回装置１２を設け、新・旧のガイドを載置した状態で新・旧ガイドの載置・旋回装置１２の旋回によって新・旧ガイドを交換された後ガイド移動用レール１３によって移動して走行台車４が走行台車用レール６上を移動して圧延機のハウジング方向に移動する。なお、符号１４はガイド位置決めピンであり、１５は車輪を示す。
【００１３】
図２は、走行台車と通材ローラーの詳細図である。この図に示すように、走行台車４は走行台車用レール６上を移動するように構成し、走行台車４と通材ローラー１６は連結ロッド１７によって同一の駆動手段である駆動モーター１８にて走行できるように構成する。これにより、ガイド組替え装置がコンパクトになる。また、ガイド移動レール１３には車輪１５およびガイド位置決めピン１４並びにピン昇降シリンダー１９が配設され、新・旧のガイドを載置した状態で新・旧ガイドの載置・旋回装置１２の旋回によって新・旧ガイドを交換される場合に、ガイド位置決めピン１４がなされて位置を固定した後新・旧ガイドの載置・旋回装置１２の旋回によって新・旧ガイドを交換するものである。
【００１４】
図３は、ガイド受け渡し手段の詳細図である。図３は図１のガイド組替え装置の全体概略図とは配置を逆に示したが、このガイド受け渡し手段５は走行台車用レール６の走行レール部に設け、ガイドを往復動させるためにガイド押込みシリンダー９および軸受１０に支持されたガイド押込みフック１１がガイド押込みフック回転シリンダー２０によってガイド押込みフック１１が回転して、図４に示す圧延機ガイドに設けたガイド押込みフック挿入溝２１に嵌合するように構成されている。すなわち、図４は、圧延機ガイドの全体概略図を示す。
【００１５】
図５は、新・旧ガイドの載置・旋回装置の詳細図である。この図に示すように、新・旧ガイドの載置・旋回装置の全体は旋回用油圧モーター２２にて旋回可能とし、圧延機ガイドを往復動させるための第一押込みフック回転シリンダー２３および第二押込みフック回転シリンダー２４によって、第一押込みフック２５および第二押込みフック２６によりガイド押込みフック挿入溝に嵌合された新ガイドを圧延機のハイジング内に押込み可能なものとする。
【００１６】
図６は、新・旧ガイドの交換手順を示す概略工程図である。図６（ａ）は圧延中、または圧延停止中でのガイド交換前の状態を示す。図６（ｂ）は走行台車および圧延材の支持・案内部材（ローラーテーブル）が一体的に右方に移動して旧ガイドを引き渡し位置に着いた状態を示している。図６（ｃ）は旧ガイドがガイド受け渡し手段にて引き出され、走行台車上に移動・載置された状態を示す。
【００１７】
さらに、図７は、新・旧ガイドの旋回手段により交換する概略工程図である。図７（ａ）は走行台車上に旧ガイドを載置した状態で走行台車および圧延材の支持・案内部材が一体的に左方に移動する状態を示す。図７（ｂ）は走行台車上の旧ガイドが、新・旧ガイドの載置・旋回装置に設けられているガイドを引き渡し手段（爪、シリンダー）にて引き出され、載置・旋回装置上に載置された状態を示す。図７（ｃ）は新・旧ガイドの載置・旋回装置が旋回して、新・旧ガイドの平面的な位置が反転した状態を示している。
【００１８】
その後は、新・旧ガイドの載置・旋回装置に設けられているガイド引渡し手段（爪、シリンダーにて引出し、押出し）にて新ガイドが走行台車の方向に押出しされ、走行台車上に移動し、載置する。次いで、走行台車と圧延材の支持・案内部材が一体的に右方に移動する。続いて、新ガイドがガイド引渡し手段にて押出され、新ガイドが圧延機のハウジング前に設置され、これによって新・旧ガイドの交換が完了するものである。
【００１９】
このように、走行台車の長さを１個のガイドの載置可能長さにし、しかも、走行台車に隣接して、同じ走行方向に移動する圧延材の支持・案内部材（ローラーテーブル）を設けているので、従来のように、ガイドの組替え時、クレーンによる圧延材の支持・案内部材の搬送・設置が必要なく、省力化、安全作業となる。また、ガイド受け渡し手段を、走行台車用の走行レール部に設けて、ガイドを往復動させる駆動手段としているので、従来のように複数の横行台車が必要としないし、走行台車と圧延材の支持・案内部材とを同一の駆動手段にて走行させているので、ガイド組替え装置がその分コンパクトになり、保守も容易になる等の極めて優れた効果を奏する。
【図面の簡単な説明】
【００２０】
【図１】ガイド組替え装置の全体概略図である。
【図２】走行台車と通材ローラーの詳細図である。
【図３】ガイド受け渡し手段の詳細図である。
【図４】圧延機ガイドの全体概略図を示す図である。
【図５】新・旧ガイドの載置・旋回装置の詳細図である。
【図６】新・旧ガイドの交換手順を示す概略工程図である。
【図７】新・旧ガイドの旋回手段により交換する概略工程図である。
【符号の説明】
【００２１】
１  ハウジング
２  圧延用ロール
３  ガイド
３´新ガイド
４  走行台車
５  ガイド受け渡し手段
６  走行台車用レール
７  圧延材の支持・案内部材
８  駆動用モーター
９  ガイド押込みシリンダー
１０  軸受
１１  ガイド押込みフック
１２  新・旧ガイドの載置・旋回装置
１３  ガイド移動用レール
１４  ガイド位置決めピン
１５  車輪
１６  通材ローラー
１７  連結ロッド
１８  駆動モーター
１９  ピン昇降シリンダー
２０  ガイド押込みフック回転シリンダー
２１  ガイド押込みフック挿入溝
２２  旋回用油圧モーター
２３  第一押込みフック回転シリンダー
２４  第二押込みフック回転シリンダー
２５  第一押込みフック
２６  第二押込みフック
特許出願人    新日本製鐵株式会社  他１名                                        代理人  弁理士    椎  名    彊  他１
【図１】
2005230891.tif 000003
【図２】
2005230891.tif 000004
【図３】
2005230891.tif 000005
【図４】
2005230891.tif 000006
【図５】
2005230891.tif 000007
【図６】
2005230891.tif 000008
【図７】
2005230891.tif 000009